【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
順方向の力及び横方向の力の両方を有する少なくとも一つの低摩擦搬送面を含むコンベアであって、前記コンベアは、物品を前方に移動させ第１分岐側壁に向かう長手方向に対して傾斜した回転軸を有する複数の駆動傾斜ローラを含む、コンベアと、
前記コンベアの内側側端に沿って選択した位置で選択した長さについて外側に延在し、前記横方向の力及び横移動に対抗して前記コンベアの中心に向かって小荷物を集める前記第１分岐側壁と、
前記コンベアの内側側端に沿って選択した位置で選択した長さについて前記第１分岐側壁の少なくとも一部分から下流に延在する第２横側壁と、
前記第１分岐側壁から前記第２横側壁の方へ延在し、順方向の力と横方向の力の両方を有する前記少なくとも一つの低摩擦搬送面を搬送された小荷物を前記第２横側壁に向かって内側にシフトさせるオフセットと、
選択された幅で前記第２横側壁と対向する前記コンベアの外側端に沿って延在し、選択された高さで前記低摩擦搬送面の上に立ち上がっており、前記低摩擦搬送表面と流体連通する高摩擦ベルトであって、重心が転倒点の外側にある特大の小荷物の前記第２横側壁に向かうシフト及び前記コンベアからの落下を防ぐ、高摩擦ベルトと、
を備える、特大の小荷物を除去するためのシフト及び保持コンベア装置。
【請求項２】
前記シフト及び保持コンベア装置の前記低摩擦搬送面と流体連通する前記シフト及び保持コンベアから下流に位置する横並びエリミネータコンベアを含む、請求項１に記載のシフト及び保持コンベア装置。
【請求項３】
前記横並びエリミネータコンベアの外縁から延在している傾斜路を含む、請求項２に記載のシフト及び保持コンベア装置。
【請求項４】
前記シフト及び保持コンベア装置の外縁から延在している傾斜路を含む、請求項２に記載のシフト及び保持コンベア装置。
【請求項５】
前記シフト及び保持コンベア装置の前記低摩擦搬送表面と流体連通する前記シフト及び保持コンベアから下流に位置する単一化コンベアを含む、請求項１に記載のシフト及び保持コンベア装置。
【請求項６】
前記単一化コンベアの外縁から延在する傾斜路を含む、請求項５に記載のシフト及び保持コンベア装置。
【請求項７】
前記シフト及び保持コンベア装置の前記低摩擦搬送表面と流体連通する前記シフト及び保持コンベアから下流に位置する単一化コンベアと、前記単一化コンベアから下流に位置する横並びエリミネータコンベアと、を含む、請求項１に記載のシフト及び保持コンベア装置。
【請求項８】
上流コンベアを含む、請求項１に記載のシフト及び保持コンベア装置。
【請求項９】
下流コンベアを含む、請求項１に記載のシフト及び保持コンベア装置。
【請求項１０】
前記高摩擦搬送面は、ベルトである、請求項１に記載のシフト及び保持コンベア装置。
【請求項１１】
前記低摩擦搬送面は、順方向及び横方向に物品を移動させるための搬送の長手方向について傾斜している回転軸を有し、駆動され傾斜している複数のローラを有する、請求項１に記載のシフト及び保持コンベア装置。
【請求項１２】
前記高摩擦搬送面は、ラバー、エラストマー、ポリマー及びその組み合わせを含むベルトである、請求項１に記載のシフト及び保持コンベア装置。
【請求項１３】
前記高摩擦搬送面は、ラバー、エラストマー、ポリマー及びその組み合わせからなる群から選択された高摩擦面で覆われた部分を少なくとも有するローラを含む、請求項１に記載のシフト及び保持コンベア装置。
【請求項１４】
前記低摩擦搬送表面は、金属である、請求項１に記載のシフト及び保持コンベア装置。
【請求項１５】
前記低摩擦搬送面は、アルミニウム、ステンレス鋼、鋼、テフロン（登録商標）、ナイロン（登録商標）、グラファイト、前記高摩擦搬送面と対比して、低摩擦材料を構成するポリマー材料、及びこれらの組み合わせからなる、請求項１に記載のシフト及び保持コンベア装置。
【請求項１６】
前記低摩擦搬送面は、プラスチックモジュールベルト、ベルト、ベルト及び／又は低摩擦被覆及びこれらの組み合わせを被覆したローラを含む、請求項１に記載のシフト及び保持コンベア装置。
【請求項１７】
シフト及び保持コンベアを用いて、小荷物を搬送する方法であって、シフト及び保持コンベアは、順方向及び横方向に小荷物を搬送するための低摩擦搬送面を含むシフト及び保持コンベアと、前記コンベアの内側側端に沿って選択した位置で選択した長さについて外側に延在する第１側壁と、前記コンベアの内側側端に沿って選択した位置で選択した長さについて前記第１側壁の少なくとも一部分から下流に延在する第２側壁と、前記第１側壁から前記第２側壁の方へ延在するオフセットと、選択された幅で前記第２側壁と対向する前記コンベアの外側端に沿って延在し、選択された高さで前記低摩擦搬送面の上に立ち上がっており、前記低摩擦搬送表面と流体連通する高摩擦搬送面であって、前記立ち上がっている搬送面によって転倒しきい値を形成する、高摩擦搬送面と、を含み、
前記方法は、
第１側壁に向かって低摩擦搬送面で小荷物を順方向及び横方向に搬送するステップと、
前記小荷物が前記第１側壁に接触するように位置合わせするステップであって、前記第１側壁は、前記小荷物を内側に前記コンベアの中心部分に向かって選択された間隔で前記低摩擦搬送面の前記順方向及び前記横方向に対して前記小荷物をそらせて、前記小荷物の分離のためのしきい値を確立する、ステップと、
前記低摩擦搬送面上で順方向及び横方向に下流に第２側壁オフセットに向かって前記コンベアの中心に対して外側に、前記第１側壁に対して内側に、前記小荷物を搬送し、搬送下流について前記第２側壁に対してしきい値以下の幅を有する小荷物をシフトさせるステップと、
前記しきい値を越える幅を有する前記小荷物を立ち上がり高摩擦搬送面上で搬送するステップであって、前記高摩擦搬送面は、転倒しきい値を有する面と互いに流体連通し、前記第２側壁と反対側の位置で選択した間隔で間隔を空けて、前記コンベアの側端部に沿って延在する、ステップと、
しきい値を越える幅を有し、前記高摩擦搬送面上にある部分を有する小荷物は、前記第２側壁から離れるように保持され、前記小荷物を下流に搬送するステップと、
前記立ち上がり高摩擦搬送面上に残っている前記小荷物を下流流れから除去するステップと、
を含む、小荷物を搬送する方法。
【請求項１８】
側部の傾斜路上の前記立ち上がり高摩擦搬送面にかみ合っている小荷物を転倒させて、解放するステップを含む、請求項１７に記載の小荷物の搬送方法。
【請求項１９】
前記コンベアの外側遠位端から前記立ち上がり高摩擦ベルトにかみ合っている前記小荷物を解放するステップを含む、請求項１７に記載の小荷物の搬送方法。
【請求項２０】
しきい値以下の幅を有する小荷物を搬送し、前記しきい値を通って前記低摩擦搬送面と流体連通する横並びエリミネータコンベア上を通るステップを含む、請求項１７に記載の小荷物の搬送方法。
【請求項２１】
しきい値以下の幅を有する小荷物を搬送し、前記しきい値を通って前記低摩擦搬送面と流体連通する単一化コンベア上を通るステップを含む、請求項１７に記載の小荷物の搬送方法。
【請求項２２】
しきい値以下の幅を有する小荷物を搬送し、前記しきい値を通って前記低摩擦搬送面と流体連通する単一化コンベア上を通り、前記単一化コンベアから前記低摩擦搬送面と流体連通する前記横並びエリミネータコンベアを通るステップを含む、請求項１７に記載の小荷物の搬送方法。
【請求項２３】
前記横並びエリミネータコンベアの外側端から延在する傾斜路上にわたって前記小荷物を傾けて、前記横並びエリミネータのしきい値限界を越える小荷物を除去するステップを含む、請求項２０に記載の小荷物の搬送方法。
【請求項２４】
前記単一化コンベアの外側端から延在する傾斜路上にわたって前記小荷物を傾けて、前記単一化コンベアのしきい値限界を越える小荷物を除去するステップを含む、請求項２０に記載の小荷物の搬送方法。
【請求項２５】
順方向の力及び横方向の力の両方を有する少なくとも一つの低摩擦搬送面を含むコンベアであって、前記コンベアは、物品を前方に移動させ第１分岐側壁に向かう長手方向に対して傾斜した回転軸を有する複数の駆動傾斜ローラを含む、コンベアと、
前記コンベアの内側側端に沿って選択した位置で選択した長さについて外側に延在し、前記横方向の力及び横移動に対抗して前記コンベアの中心に向かって物品を集める前記第１分岐側壁と、
前記コンベアの内側側端に沿って選択した位置で選択した長さについて前記第１側壁の少なくとも一部分から下流に延在する第２横側壁と、
前記第１分岐側壁から前記第２横側壁の方へ延在し、順方向の力と横方向の力の両方を有する前記少なくとも一つの低摩擦搬送面を搬送された物品を前記第２横側壁に向かって内側にシフトさせるオフセットと、
選択された幅で前記第２横側壁と対向する前記コンベアの外側端に沿って平行に延在し、選択された高さで前記低摩擦搬送面の上に立ち上がっており、前記低摩擦搬送表面と流体連通する高摩擦ベルトであって、重心が転倒点の外側にある特大の物品の前記第２横側壁に向かうシフト及び前記コンベアからの落下を防ぐ、高摩擦ベルトと、
からなる、シフト及び保持コンベア装置。